(57)【特許請求の範囲】
【請求項１】
洗浄槽が洗浄機本体の前側開口部から出し入れ可能に収容された食器洗浄機において、
枠材によって前記洗浄槽に取り付けられ、前記食器洗浄機の前側全体を被覆する化粧パネルを備え、
前記洗浄槽の前側に前記洗浄機本体の前面を被覆するドアパネルを設け、前記枠材を前記ドアパネルに固定し、前記化粧パネルを前記枠材とドアパネルの間に挟み込んで前記洗浄槽に取り付け、
前記枠材が、前記化粧パネルをその周縁部の全周を覆って固定する
ことを特徴とする食器洗浄機。
【請求項２】
前記化粧パネルがほぼ平板状の板体によって構成された
ことを特徴とする請求項１記載の食器洗浄機。
【請求項３】
前記枠材が、前記化粧パネルをその周縁部と周縁部近傍の前面で固定する
ことを特徴とする請求項１記載の食器洗浄機。
【請求項４】
前記枠材を前記ドアパネルにねじ固定した
ことを特徴とする請求項３に記載の食器洗浄機。
【請求項５】
前記枠材を前記ドアパネルに嵌合して固定した
ことを特徴とする請求項３に記載の食器洗浄機。
【請求項６】
前記枠材に溝部を設けると共に前記ドアパネルに係止爪を設け、前記溝部に前記係止爪を係止させて、前記枠材を前記ドアパネルに固定した
ことを特徴とする請求項５記載の食器洗浄機。
【請求項７】
前記化粧パネルに開口部を設け、前記ドアパネルに設けた排気口および操作部を前記開口部に嵌合させ、前記排気口および操作部のいずれかまたはすべての前面を前記化粧パネルの表面とほぼ同一平面にするか、前記表面より突設させた
ことを特徴とする請求項３〜６のいずれか一項に記載の食器洗浄機。
【請求項８】
前記化粧パネルに設けた前記開口部に該開口部を被覆する端面保護部品を設けた
ことを特徴とする請求項７記載の食器洗浄機。
【請求項９】
前記化粧パネルは隣接するキャビネットとほぼ同一の色調および図柄によって構成される
ことを特徴とする請求項１〜８のいずれか一項に記載の食器洗浄機。
【発明の詳細な説明】
【技術分野】
【０００１】
本発明は、例えば、システムキッチンを構成するキッチンカウンタの下などにビルトインされ、洗浄槽を移動させて食器類の出し入れを行う食器洗浄機に係り、より詳しくは、システムキッチンなどの構築物の表面材と同一の色調、図柄等によって構成されたキッチンパネルにより前部全面を被覆した食器洗浄機に関する。
【背景技術】
【０００２】
従来のシステムキッチンでは、キッチンカウンタの下に、引き出し式の収納部や開き戸式の収納部などのシステムキッチン構築物が設けられており、食器洗浄機などがビルトインされている。このような食器洗浄機は、洗浄槽が洗浄機本体の前後方向に出し入れ可能に収容されており、洗浄槽の前面に前板部を設け、前板部の前面上方に操作パネル等を配し、操作パネル等の下に化粧面材を設けている（例えば、特許文献１参照）。
【０００３】
【特許文献１】特開２００５−２５３８２３号公報（第４、５頁、図１、２）
【発明の開示】
【発明が解決しようとする課題】
【０００４】
特許文献１の従来の食器洗浄機は、操作パネル等の下に化粧面材が取り付けられているので、操作パネルと化粧面材との間につきあわせ部分ができてしまう。また、操作パネルは洗浄槽と一体に形成されているので、操作パネルの色調、図柄をキッチンの色調、図柄と同一しにくく、デザインの統一感を得ることが困難であった。また、システムキッチン構築物と同じ材質の化粧面材を用いると、高価となり、化粧面材自体の加工もしづらく、施工性にも問題があった。
【０００５】
本発明は上記の課題を解決するためになされたもので、食器洗浄機の前面全体の色調、図柄を、容易にシステムキッチンなどの構築物と同じ色調、図柄にして、デザインの統一感を得ることができ、かつ、安価で加工しやすく、施工性も向上させることができる食器洗浄機を提供することを目的とする。
【課題を解決するための手段】
【０００６】
本発明に係る食器洗浄機は、洗浄槽が洗浄機本体の前側開口部から出し入れ可能に収容された食器洗浄機において、枠材によって洗浄槽に取り付けられ、食器洗浄機の前側全体を被覆する化粧パネルを備え、洗浄槽の前側に洗浄機本体の前面を被覆するドアパネルを設け、枠材をドアパネルに固定し、化粧パネルを枠材とドアパネルの間に挟み込んで洗浄槽に取り付け、枠材が、化粧パネルをその周縁部の全周を覆って固定するものである。
【発明の効果】
【０００７】
枠材によって洗浄槽に取り付けられ、食器洗浄機の前側全体を被覆するキッチンパネルを備えたので、食器洗浄機をシステムキッチンなどにビルトインし、洗浄槽を洗浄機本体内に押し入れた状態にしたとき、システムキッチンとのデザインに統一感を得ることができる。
【発明を実施するための最良の形態】
【０００８】
実施の形態１．
図１は本発明の実施の形態１に係る食器洗浄機を備えたシステムキッチンの斜視図、図２は図１の食器洗浄機の構成を示す説明図、図３は図１の食器洗浄機の正面図、図４は図３の食器洗浄機の洗浄槽を引き出した状態の一部を断面で示した側面図、図５は図３のイ−イ断面図、図６は図３のロ−ロ断面図、図７は図３の洗浄槽のキッチンパネルと枠材を除去した状態の正面図、図８は図３の洗浄槽のキッチンパネルの正面図、図９は図３の洗浄槽の枠体の正面図である。
【０００９】
図１に示すように、システムキッチン１００のキッチンカウンタ１０１の下には、引き出し式の収納部１０２や開き戸式の収納部１０３のようなシステムキッチン構築物が設けられており、オーブンレンジ１０４や食器洗浄機１等がビルトインされている。食器洗浄機１の前面には、システムキッチン１００の表面材と色調、図柄が同一の化粧パネルであるキッチンパネル２０（後述）が取り付けられている。
【００１０】
図２に示すように、食器洗浄機１は上方が開口し内部に食器かご４０などを有する引き出し型の洗浄槽２を備え、前方が開口して箱状に形成された洗浄機本体３内を前後（図２の左右）に移動して、洗浄槽２が洗浄機本体３の前側開口部から前後方向に出し入れできるようになっている。そして、洗浄槽２を前方に引き出した際に、上側開口部から食器かご４０内に食器類４１を出し入れする。
【００１１】
洗浄機本体３には給水、排水の配管接続や電源接続がなされており、洗浄槽２には洗浄機本体３から、給水弁４、給水ポンプ５及び給水パイプ６を通じて給水接続される。洗浄槽２の底面には回転駆動される洗浄ノズル７が設けられており、洗剤を混入した洗浄水や、すすぎ水を噴射して、食器かご４０に収容した食器類４１を洗浄する。
【００１２】
洗浄槽２の外側面と洗浄機本体３の内側面にはそれぞれ第１、第２のスライドレール２ａ、３ａが取り付けられており、洗浄槽２を洗浄機本体３から出し入れするときに、第１のスライドレール２ａが第２のスライドレール３ａに沿ってスライドするようにしてある。洗浄槽２を洗浄機本体３に収納すると、洗浄槽２の上方開口部は内蓋３ｂによって密閉され、洗浄水が外部に飛散しないようになっている。
【００１３】
洗浄槽２の前側には、洗浄機本体３の前面を被覆するドアパネル１０（図５〜図７参照）が、ねじ１１によって固定されている。このドアパネル１０には、食器乾燥時の乾燥空気を排気するための排気口１２、食器洗浄機１の運転を操作するための操作入力ボタン等を有する操作部１３、及び洗浄槽２を出し入れするときに用いる取手部１４が設けられている。
【００１４】
ドアパネル１０の前面には、ほぼ平板状の板体（薄い平板状の板体）によって構成され、食器洗浄機１の前側全体を被覆するキッチンパネル（化粧パネル）２０（図３〜図６、図８参照）が設けられている。このキッチンパネル２０は周囲の構築物と同一の色調、図柄で形成されており、ドアパネル１０に設けられた排気口１２、操作部１３、取手部１４に対応し、第１、第２、第３の開口部２１、２２、２３が設けられている。キッチンパネル２０の第１、第２、第３の開口部２１、２２、２３には、開口時に生じるバリ等を覆うために、前端にフランジを有するほぼ矩形枠状の第１、第２、第３の端面保護部品２４、２５、２６を嵌め込んで、第１、第２、第３の開口部２１、２２、２３の開口縁を被覆してある（図１０、図１１参照）。
【００１５】
そして、キッチンパネル２０とドアパネル１０の周縁部及びその近傍にはこれらをその全周に渡って覆う枠材３０（図５、６、図９参照）が設けられ、枠材３０には、外枠部３０ａと、外枠部３０ａと一体に形成されＬ字状に折れ曲がった係止部である前面枠３０ｂとが設けられている。そして、枠材３０はドアパネル１０の側面にねじ３１によって固定され（図３、図４参照）、枠材３０とドアパネル１０とによってキッチンパネル２０を挟み込んでいる。より詳しくは、枠材３０の外枠部３０ａによってキッチンパネル２０の周縁部の全周が当接支持され、Ｌ字状に折れ曲がった前面枠３０ｂによってキッチンパネル２０の周縁部近傍の前面が当接支持されて、キッチンパネル２０が挟み込まれ、洗浄槽２に取り付けられている。  
【００１６】
なお、ドアパネル１０の排気口１２がキッチンパネル２０の第１の開口部２１と嵌合したときに、排気口１２の前面はキッチンパネル２０の表面とほぼ同一平面になるか、または、この表面よりも若干突設するようになっている（図５参照）。また、ドアパネル１０の操作部１３がキッチンパネル２０の第２の開口部２２と嵌合したときに、操作部１３の前面はキッチンパネル２０の表面とほぼ同一平面になるか、この表面よりも若干突設するようになっている（図６参照）。
【００１７】
次に、本発明の作用を説明する。
取手部１４を把持して洗浄機本体３から洗浄槽２を引き出し、食器かご４０に食器類４１を入れて洗浄機本体３内に押し込んで収納する。ついで、操作部１３の操作入力ボタンを操作して、食器洗浄機３の運転を開始すると、洗浄槽２内の洗浄ノズル７から洗浄水または濯ぎ水が噴射され、食器類４１を洗浄し、引き続いてすすぎ洗いする。すすぎ洗いが終わると洗浄水を排水し、送風機（図示せず）により外気を導入してヒータにより加熱し、洗浄槽２内に温風を送風して食器類等４１を乾燥する。乾燥時の乾燥空気は排気口１２から外部に排気される。
【００１８】
実施の形態１によれば、枠材３０とドアパネル１０によってキッチンパネル２０を挟み込み、キッチンパネル２０を洗浄槽２に取り付けるようにしたので、キッチンパネル２０の取付けが容易で、施工性も向上する。
また、食器洗浄機１は、洗浄槽２に設けたドアパネル１０の前面に食器洗浄機１の前側全体を被覆するキッチンパネル２０を配しているので、食器洗浄機１の前側全体を、システムキッチンの構築物の表面材と同一の色調、図柄で構成することができる。このため、食器洗浄機１をシステムキッチンなどにビルトインし、洗浄槽２を洗浄機本体３に収納したとき、周囲の構築物の表面材とデザイン上の統一を得ることができ、一体化された美麗な外観のシステムキッチンを得ることができる。
さらに、キッチンパネル２０はほぼ平板状の板体によって構成されているので、取付に際して様々な材料を用いることができ、加工性も高く、安価に製造することができる。
また、枠材３０は、キッチンパネル２０の周縁部全周を覆っているので、周縁部すべてを保護することができ、意匠的にも優れている。
【００１９】
さらに、洗浄槽３にキッチンパネル２０を取り付けたとき、排気口１２と第１の開口部２１との嵌合部において、排気口１２の前面がキッチンパネル２０の表面とほぼ同一平面になるか、この表面よりも若干突設しているので、乾燥時の湯気がキッチンパネル２０の裏側に侵入することがない。
また、操作部１３と第２の排気口２２の嵌合部において、操作部１３もキッチンパネル２０の表面とほぼ同一平面になるか、この表面よりも若干突設しているので、キッチンパネル２０を取り付ける際のガイドになり、施工性を向上させることができる。
【００２０】
また、キッチンパネル２０が木製である場合は、第１、第２、第３の開口部２１、２２、２３を加工する際にバリが発生するが、このバリを覆う第１、第２、第３の端面保護部品２４、２５、２６を取り付けたので、ヤスリ等を用いてバリを除去する必要がなく、また意匠性を損なうこともない。なお、キッチンパネル２０が木製以外の場合等は、第１、第２、第３の端面保護部品２４、２５、２６を省略することもできる。
【００２１】
実施の形態２．
図１２は本発明の実施の形態２に係る食器洗浄機の正面図、図１３は図１２の食器洗浄機の洗浄槽を引き出した状態の側面図、図１４は図１２の洗浄槽の枠材とキッチンパネルを除去した状態の正面図、図１５は図１２の洗浄槽の枠材の裏面図及びそのハ−ハ断面図である。
実施の形態１では、ドアパネル１０にねじ３１によって枠材３０を固定したが、実施の形態２では、ドアパネルに設けた係止爪を枠材の溝に係止して枠材を固定するものである。
【００２２】
図１４に示すように、ドアパネル１０の周縁部１０ｂの前面には、周縁部１０ｂに沿って所定の間隔で係止爪１０ａが設けられている。
また、図１５に示すように、枠材３０には、外枠部３０ａ（図１５（ｂ）に示すように、ドアパネル１０とその係止爪１０ａを合わせた厚みとほぼ同じ幅）と、外枠部３０ａと一体に形成されＬ字状に折れ曲がった前面枠３０ｂと、前面枠３０ｂの裏面に位置する内枠部３０ｃ（図１５（ｂ）に示すように、キッチンパネル２０の板厚とほぼ同じ長さ）とが設けられており、外枠部３０ａと内枠部３０ｃとによって溝部３０ｄが形成されている。
【００２３】
そして、枠材３０の溝部３０ｄに、ドアパネル１０の係止爪１０ａを係止させて、外枠部３０ａの内壁に沿ってドアパネル１０の周縁部１０ｂを当接させて取付け、また、枠材３０の内枠部３０ｃの内壁にキッチンパネル２０を嵌合して周縁部を当接させる。こうして、図１２、図１３に示すように、ドアパネル１０の前面にキッチンパネル２０が配設され、枠材３０とドアパネル１０によってキッチンパネル２０を挟み込んで取り付けるようにしたものである。
【００２４】
実施の形態２によれば、枠材３０には溝部３０ｄが設けられ、ドアパネル１０の係止爪１０ａを枠材３０の溝部３０ｄに係止させるようにしたので、ねじ等の別部材を用いて枠材３０をドアパネル１０に固定する必要がなく、構造が簡単であり、施工性にも優れる。
【００２５】
実施の形態３．
図１６は本発明の実施の形態３に係る食器洗浄機の洗浄機のキッチンパネルと枠材の分解状態を示す正面図である。実施の形態３では、実施の形態１、２と異なり、組み立て当初は枠材を分解しておき、組み立て時に枠材を一体化にするようにしてある。
図１６に示すように、枠材３０は上下左右の４個の部材からなり、これをキッチンパネル２０の周縁部に取り付けて一体化し、キッチンパネル２０をドアパネル１０に固定する。
実施の形態３によれば、枠材３０が簡単な部材で済み、キッチンパネル２０を確実に固定することができ、枠材３０の多様化が可能となる。
【図面の簡単な説明】
【００２６】
【図１】本発明の実施の形態１に係る食器洗浄機を備えたシステムキッチンの斜視図である。
【図２】図１の食器洗浄機の構成を示す説明図である。
【図３】図２の洗浄槽の正面図である。
【図４】図３の食器洗浄機の洗浄槽を引き出した状態の側面図である。
【図５】図３のイ−イ断面図である。
【図６】図３のロ−ロ断面図である。
【図７】図３の洗浄槽のキッチンパネルと枠材を除去した状態の正面図である。
【図８】図３の洗浄槽のキッチンパネルの正面図である。
【図９】図３の洗浄槽の枠体の正面図である。
【図１０】図３の端面保護部品の上面図、正面図および側面図である。
【図１１】図８のキッチンパネルに端面保護部材を取り付けた正面図である。
【図１２】本発明の実施の形態２に係る食器洗浄機の正面図である。
【図１３】図１２の食器洗浄機の洗浄槽を引き出した状態の側面図である。
【図１４】図１２の洗浄槽の枠材とキッチンパネルを除去した状態の正面図である。
【図１５】図１２の洗浄槽の枠材の裏面図及びそのハ−ハ断面図である。
【図１６】本発明の実施の形態３に係る食器洗浄機の洗浄槽のキッチンパネルと枠材の分解状態を示す正面図である。
【符号の説明】
【００２７】
１  食器洗浄機、２  洗浄槽、３  洗浄機本体、１０  ドアパネル、１０ａ  係止爪、１２  排気口、１３  操作部、２０  キッチンパネル（化粧パネル）、２１〜２３  第１〜第３の開口部（開口部）、２４〜２６  第１〜第３の端面保護部品、３０  枠材、３０ａ  外枠部、３０ｂ  前面枠、３０ｃ  内枠部、３０ｄ  溝部、３１  ねじ、１００  システムキッチン。
【図１】
0004986810.tif 000002
【図２】
0004986810.tif 000003
【図３】
0004986810.tif 000004
【図４】
0004986810.tif 000005
【図５】
0004986810.tif 000006
【図６】
0004986810.tif 000007
【図７】
0004986810.tif 000008
【図８】
0004986810.tif 000009
【図９】
0004986810.tif 000010
【図１０】
0004986810.tif 000011
【図１１】
0004986810.tif 000012
【図１２】
0004986810.tif 000013
【図１３】
0004986810.tif 000014
【図１４】
0004986810.tif 000015
【図１５】
0004986810.tif 000016
【図１６】
0004986810.tif 000017